(57)【特許請求の範囲】
【請求項１】
軟弱地盤上に造成された既設盛土の周囲に付加盛土を施工する上で、既設盛土の周縁における軟弱地盤内と、付加盛土周縁における軟弱地盤内に、予め側方変位防止用の仕切り工を建て込み、地表部側で、前記仕切り工間を複数のタイロッドで連結し、次いで付加盛土を施工する方法において、
前記タイロッドの両端を各仕切り工に対して上下方向に移動可能に連結したことを特徴とする付加盛土施工時における地盤変状防止方法。
【請求項２】
前記タイロッドの上面にまたは前記タイロッドに代えて耐圧板を配置することを特徴とする請求項１に記載の付加盛土施工時における地盤変状防止方法。
【発明の詳細な説明】
【０００１】
【発明の属する技術分野】
本発明は、軟弱地盤上に造成された既設盛土の周囲に付加盛土を施工する上で、付加盛土の直下の地盤の不等沈下を防止できるようにした地盤変状防止方法に関する。
【０００２】
【従来の技術】
軟弱地盤の改良工法として盛土工法がある。この工法では、盛土の土圧により軟弱地盤を圧密化し、安定化した地盤に改良が可能である。ところで、軟弱地盤上に造成された既設盛土の周囲に日をおいて新たに盛土を付加造成する場合には、付加盛土の土圧によりその直下及びその周囲の地盤が大幅な変状を生じ、不等沈下を生じたり、盛土そのものが崩壊するおそれがある。
【０００３】
そこで従来では、図４に示すように、既設盛土１の周縁、すなわち法尻部と、付加盛土２の法尻部となる境界位置において、それぞれ軟弱地盤Ｅ内に矢板、抑止杭などからなる側方変位防止用の仕切り工３を予め建て込み、その上端同士を所定間隔で複数のタイロッド４で連結し、その後に付加盛土２を造成するようにしていた。
【０００４】
そして、この防止工法では、タイロッド４が土圧の一部を分担することで、盛土荷重による過度の地盤沈下を抑制しつつ順次平均的な沈下がなされ、地盤の圧密化を図ることが可能であるとされていた。
【０００５】
【発明が解決しようとする課題】
しかしながら、実際には、以上の防止工法では、タイロッド４は両端が固定され、この状態で付加盛土２の土圧が直接加わるため、地盤沈下に応じて図の破線で示すように、タイロッド４も強制的に変形させられ、この余分な応力により、タイロッド４に大きな引張り力が発生し、場合によっては破損に至る可能性があるため、長期信頼性に欠けていた。
【０００６】
本発明は、以上の課題を解決するものであって、その目的は、付加盛土の土圧によるタイロッドの過度の変形を抑制することで、長期信頼性を確保し、平均化した沈下を達成できるようにした地盤変状防止方法を提供するものである。
【０００７】
【課題を解決するための手段】
以上の目的を達成するため、本発明は、軟弱地盤上に造成された既設盛土の周囲に付加盛土を施工する上で、既設盛土の周縁における軟弱地盤内と、付加盛土周縁における軟弱地盤内に、予め側方変位防止用の仕切り工を建て込み、地表部側で、前記仕切り工間を複数のタイロッドで連結し、次いで付加盛土を施工する方法において、前記タイロッドの両端を各仕切り工に対して上下方向に移動可能に連結したことを特徴とする。
【０００８】
従って、本発明方法によれば、両端固定による付加盛土の土圧によるタイロッドの過度の変形が抑制され、タイロッドはその周囲地盤とともに沈下するため、平均化した沈下を達成できる。
【０００９】
また、前記タイロッドの上面にまたは前記タイロッドに代えて耐圧板を配置することで、耐圧性を増し、さらに長期信頼性が向上する。タイロッドの上面に耐圧板を配置した場合には、タイロッドそのものの耐圧性が増す。
【００１０】
【発明の実施の形態】
以下、本発明の好ましい実施の形態につき、添付図面を参照して詳細に説明する。図１は本発明に係る地盤変状防止方法を示している。なお、図において、従来と同一箇所には同一符号を付してその説明を省略し、異なる箇所あるいは新たに付加する箇所にのみ新たな符号を用いて説明する。
【００１１】
図において、それぞれの境界位置に建て込まれた一対の仕切り工３の上端地表面側には、支持部１０が対向して固定配置され、この各支持部１０に両端が支持されたタイロッド１２が両仕切り工３間に掛け渡されている。支持部１０は、図２，３に示すように、所定高さＨのリップ溝型鋼から構成され、その中央溝１０ａの底部は閉じられた形態となっている。なお、この高さＨは沈下分を予測して設定される。
【００１２】
タイロッド１２の端部１２ａは、この溝１０ａに固定嵌合されるべくＴ字形に形成され、またその上下厚みＤは、支持部１０の高さＨより小さく設定され、圧入などの嵌合手段により支持部１０の上部位置に嵌合される。なお、端部１２ａの下部側と溝１０ａ間にこれを弾性支持するためのゴムなどの弾性体を介在させることで上位置に保持することも出来る。
【００１３】
本実施の形態では、さらにこのタイロッド１２の上部の全面または一部に、例えばＲＣ構造で厚さが５０ｃｍ程度の耐圧板１４が一体化され、この耐圧板１４及びタイロッド１２により付加盛土２の載荷荷重を支持する。なお、耐圧板１４，１４の間に表層部ジオテキスタイル（シート、ネット等）を敷設することもできる。
【００１４】
以上において、仕切り工３の建て込み、及びタイロッド１２の接合作業後、付加盛土２を造成すると、タイロッド１２及びその周囲の軟弱地盤Ｅに付加盛土２による土圧が加えられる。
【００１５】
そして、タイロッド１２の端部１２ａは、前記支持部１０に対して上下移動可能に嵌合されているため、支持部１０に対する嵌合摩擦力より土圧が大となる、あるいは介在される弾性体の弾性よりも土圧が大となると、タイロッド１２の端部１２ａは中央溝１０ａを滑りながら下降し、その結果、図１に破線で示すごとく、ほぼ水平を保ったまま下降することになり、その状態で土圧を支えることになり、沈下が全体としてほぼ均一となる。
【００１６】
またタイロッド１２の周囲地盤もこの下降とともに下降することにより、平均的な沈下が図られ、不等沈下が防止されることになる。
【００１７】
なお、タイロッド１２が支持部１０の最低位置にまで下降した後は、両端固定された状態でその土圧を耐圧板１４と協同して支えることになるが、耐圧板１４によりタイロッド１２は十分な剛性により土圧を支持できる一方で、最低位置まで下降した状態では、その経時変化に応じて周囲地盤Ｅも十分な圧密化が図られており、タイロッド１２及び耐圧板１４の荷重分担も軽減されるため、両端支持による余分な応力の発生も抑制されることになる。
【００１８】
上記実施の形態では、タイロッド１２の上部に耐圧板１４を一体化したが、本発明はこれに限定されるものではなく、タイロッド１２があれば耐圧板１４は必須ではないし、また、タイロッド１２を配置する代わりに耐圧板１４のみを配置することも含まれる。
【００１９】
【発明の効果】
以上の説明により明らかなように、本発明による  付加盛土施工時における地盤変状防止方法によれば、付加盛土の土圧によるタイロッドの変形を抑制することで、長期信頼性を確保し、平均化した沈下を達成できる。
【図面の簡単な説明】
【図１】本発明方法による地盤変状防止方法を示す断面説明図である。
【図２】タイロッドと仕切り工に固定された支持部との関係を示す分解斜視図である。
【図３】同組立状態を示す平面図である。
【図４】従来の地盤献上防止方法を示す断面説明図である。
【符号の説明】
１  既設盛土
２  付加盛土
３  仕切り工
１０  支持部
１２  タイロッド
１４  耐圧板
Ｅ  軟弱地盤
【図１】
0004048626.tif 000002
【図２】
0004048626.tif 000003
【図３】
0004048626.tif 000004
【図４】
0004048626.tif 000005